(57)【要約】【課題】液晶テレビジョン受像機において、入力端子へのアンテナケーブル抜き差し時の手ブレを広い範囲で規制し、テレビジョン放送受信用ユニットの破壊対策を図る。【解決手段】筐体１１を左右方向に貫通する丸穴１１ａと、筐体１１内に垂直方向に配置された基板１３上に取り付けられ、丸穴１１ａに挿通されて筐体１１外部に突出する入力端子を有するテレビジョン放送受信ユニッ１２トの入力端子１４と、を備えた液晶テレビジョン受像機１０において、筐体１１外面の丸穴１１ａの周囲部に、入力端子１４を後方から下方に跨って円弧状に覆う円弧状リブ１５を設けた。【選択図】図３
2008300893.tif 000002
【特許請求の範囲】
【請求項１】
筐体を左右方向に貫通する丸穴と、
筐体内に垂直方向に配置された基板上に取り付けられ、前記丸穴に挿通されて筐体外部に突出する入力端子を有するテレビジョン放送受信ユニットの入力端子と、
を備えた液晶テレビジョン受像機において、
筐体外面の前記丸穴の周囲部に、前記入力端子を後方から下方に跨って円弧状に覆う円弧状リブを設けたことを特徴とする液晶テレビジョン受像機。
【請求項２】
前記円弧状リブの外周面に、筐体外面から延びる線状リブが複数設けられたことを特徴とする請求項１に記載の液晶テレビジョン受像機。
【発明の詳細な説明】
【技術分野】
【０００１】
本発明は、液晶テレビジョン受像機に関し、特に、テレビジョン放送受信用ユニットの破損を防止するための液晶テレビジョン受像機の筐体構造に関するものである。
【背景技術】
【０００２】
図４はテレビジョン放送受信用ユニットが内蔵された従来のブラウン管型のテレビジョン受像機１００の概略構成を示す垂直断面図であり、図５はこのブラウン管型テレビジョン受像機１００の筐体１０１を背後から見た要部拡大斜視図である。
【０００３】
図４及び図５に示すように、このテレビジョン受像機１００では、回路基板１０３上にテレビジョン放送受信用ユニット１０２が取り付けられており、筐体１０１の背面下部に前後方向に貫通して設けられた丸穴１０１ａに挿通されて筐体外部に突出す入力端子１０４に、図示しないアンテナケーブルが接続される構造となっている。
【０００４】
ここで、図６は、テレビジョン放送受信用ユニット１０２の拡大図を示している。図６に示すように、デジタル放送受信用ユニット１０２は、箱形をなしており、その一側面に上記の入力端子１０４が立設されている。
【０００５】
上記のブラウン管型テレビジョン受像機１００において、アンテナケーブルを抜き差しする際、図７に示すように、アンテナケーブル１０５を把持して矢印のように筐体１０１の後方から前方に動かすように入力端子１０４に差し込むことになる。このとき、手ブレが生じ、入力端子１０４には軸方向（図４の矢印方向）だけでなく、軸方向と直交する方向にも負荷が掛かる。よって、テレビジョン放送受信用ユニット１０２が回路基板１０３上に固定された状態で入力端子１０４だけが軸方向に対して大きく傾くことで、筐体１０１の丸穴１０１ａを支点とするテコの原理でテレビジョン放送受信用ユニット１０２に大きな機械的負荷が掛かり、破損するおそれがあった。
【０００６】
そこで、図５に示すように、筐体１０１外面の丸穴１０１ａの周囲部に、入力端子１０４を左右から挟む位置に略直角三角形の一対の三角リブ１０６、１０７を立設し、アンテナケーブル１０５の抜き差し時の略水平面内での手ブレを三角リブ１０６、１０７で規制するようにしている。これにより、入力端子１０４が軸方向に対して必要以上に傾くことがなく、テレビジョン放送受信用ユニット１０２の破損を防止することができる。
【０００７】
図８はテレビジョン放送受信用ユニットが内蔵された従来の液晶テレビジョン受像機２００を背後から見た斜視図であり、図９はこの液晶テレビジョン受像機２００の概略構成を示す水平断面図である。
【０００８】
図８及び図９に示すように、この液晶テレビジョン受像機２００では、内部の回路基板２０３上にテレビジョン放送受信用ユニット２０２が取り付けられており、筐体２０１の背面に左右方向に貫通して設けられた丸穴２０１ａに挿通されて筐体２０１外部に突出す入力端子２０４に、図示しないアンテナケーブルが接続される構造となっている。なお、テレビジョン放送受信用ユニット２０２は、図６で示したテレビジョン放送受信用ユニット１０２と全く同様の構成のものである。このような液晶テレビジョン受像機の構成は特許文献１に記載されている。
【０００９】
上記の液晶テレビジョン受像機２００においても、アンテナケーブルを抜き差しする際、図１０に示すように、アンテナケーブル１０５を把持して矢印のように筐体２０１の左方から右方へ動かすように入力端子２０４に差し込むことになる。このとき、手ブレが生じ、入力端子１０４には軸方向（図９の矢印方向）だけでなく、軸方向と直交する方向にも負荷が掛かる。よって、テレビジョン放送受信用ユニット１０２が回路基板１０３上に固定された状態で入力端子１０４だけが軸方向に対して大きく傾くことで、筐体２０１の丸穴２０１ａを支点とするテコの原理でテレビジョン放送受信用ユニット２０２に大きな機械的負荷が掛かり、破損するおそれがあった。
【特許文献１】特開２００４−１３４８４２号公報
【発明の開示】
【発明が解決しようとする課題】
【００１０】
しかしながら、液晶テレビジョン受像機２００では、テレビジョン放送受信用ユニットは、一般的に筐体２０１の上下方向において中央よりも上方に配置されるため、アンテナケーブル１０５の抜き差し時に下方にも手ブレが生じやすく、上記のブラウン管型のテレビジョン受像機１００のように、アンテナケーブル１０５の抜き差し時の略水平面内での手ブレ対策（すなわち、一対の三角リブ１０６、１０７）を講じるだけでは不十分であった。
【００１１】
本発明は、上記の問題に鑑みてなされたものであり、液晶テレビジョン受像機において、入力端子へのアンテナケーブル抜き差し時の手ブレを広い範囲で規制し、テレビジョン放送受信用ユニットの破壊対策を図ることを目的とする。
【課題を解決するための手段】
【００１２】
上記目的を達成するために本発明の請求項１に係る液晶テレビジョン受像機は、筐体を左右方向に貫通する丸穴と、筐体内に垂直方向に配置された基板上に取り付けられ、前記丸穴に挿通されて筐体外部に突出する入力端子を有するテレビジョン放送受信ユニットの入力端子と、を備えた液晶テレビジョン受像機において、筐体外面の前記丸穴の周囲部に、前記入力端子を後方から下方に跨って円弧状に覆う円弧状リブを設けたことを特徴としている。
【００１３】
また、本発明の請求項２に係る液晶テレビジョン受像機は、請求項１に記載の液晶テレビジョン受像機において、前記円弧状リブの外周面に、筐体外面から延びる線状リブが複数設けられたことを特徴としている。
【発明の効果】
【００１４】
請求項１に係る液晶テレビジョン受像機によると、筐体外面の丸穴の周囲部に、該丸穴を後方から下方に跨って円弧状に覆う円弧状リブを設けたので、アンテナケーブルの抜き差し時に入力端子の後方から下方にかけての広い範囲で手ブレが円弧状リブにより規制される。従って、入力端子が軸方向に対して必要以上に傾くことがなく、テレビジョン放送受信用ユニットの破損を効果的に防止することができる。
【００１５】
請求項２に係る液晶テレビジョン受像機によると、円弧状リブが線状リブにより補強され、手ブレ規制がより確実に行える。
【発明を実施するための最良の形態】
【００１６】
以下、本発明を実施するための最良の形態について図面を参照して説明する。
【００１７】
図１はテレビジョン放送受信用ユニットが内蔵された本発明の液晶テレビジョン受像機１０を背後から見た斜視図であり、図２はこの液晶テレビジョン受像機１０の概略構成を示す水平断面図である。
【００１８】
図１及び図２に示すように、この液晶テレビジョン受像機１０では、筐体１１内に垂直に配置された回路基板１３上にテレビジョン放送受信用ユニット１２が取り付けられており、筐体１１の背面に左右方向に貫通して設けられた丸穴１１ａに挿通されて筐体１１外部に突出す入力端子１４に、図示しないアンテナケーブルが接続される構造となっている。なお、テレビジョン放送受信用ユニット１２は、図６で示したテレビジョン放送受信用ユニット１０２と全く同様の構成のものである。
【００１９】
本発明の液晶テレビジョン受像機１０では、図３に示すように、筐体１１外面の丸穴１１ａの周囲部に、入力端子１４を後方から下方に跨って円弧状に覆う円弧状リブ１５が設けられている。これにより、アンテナケーブル１０５の抜き差し時に入力端子１４の後方から下方にかけての広い範囲で手ブレが円弧状リブ１５により規制される。従って、入力端子１４が軸方向に対して必要以上に傾くことがなく、テレビジョン放送受信用ユニット１２の破損を効果的に防止することができる。なお、円弧状リブ１５を、入力端子１４を後方から下方を経由して前方に至るように半円状に覆う半円状リブとしても構わない。
【００２０】
なお、図３に示すように、円弧状リブ１５の外周面に、筐体１１外面から延びる線状リブ１６を複数設けてもよい。これによると、円弧状リブ１５が線状リブ１６により補強され、手ブレ規制がより確実に行える。
【図面の簡単な説明】
【００２１】
【図１】は、テレビジョン放送受信用ユニットが内蔵された本発明の液晶テレビジョン受像機を背後から見た斜視図である。
【図２】は、図１の液晶テレビジョン受像機の概略構成を示す水平断面図である。
【図３】は、図１の円で囲んだ部分の拡大図である。
【図４】は、テレビジョン放送受信用ユニットが内蔵された従来のブラウン管型のテレビジョン受像機の概略構成を示す断面図である。
【図５】は、図４のブラウン管型テレビジョン受像機の筐体を背後から見た要部拡大斜視図である。
【図６】は、テレビジョン放送受信用ユニットの拡大図を示している。
【図７】は、図４のブラウン管型テレビジョン受像機のテレビジョン放送受信用ユニットの入力端子に、アンテナケーブルを差し込む作業説明図である。
【図８】は、テレビジョン放送受信用ユニットが内蔵された従来の液晶テレビジョン受像機を背後から見た斜視図である。
【図９】は、図８の液晶テレビジョン受像機の概略構成を示す水平断面図である。
【図１０】は、図８の液晶テレビジョン受像機のテレビジョン放送受信用ユニットの入力端子に、アンテナケーブルを差し込む作業説明図である。
【符号の説明】
【００２２】
１０    液晶テレビジョン受像機
１１    筐体
１１ａ  丸穴
１２    テレビジョン放送受信用ユニット
１３    基板
１４    入力端子
１５    円弧状リブ
１６    補強リブ
【図１】
2008300893.tif 000003
【図２】
2008300893.tif 000004
【図３】
2008300893.tif 000005
【図４】
2008300893.tif 000006
【図５】
2008300893.tif 000007
【図６】
2008300893.tif 000008
【図７】
2008300893.tif 000009
【図８】
2008300893.tif 000010
【図９】
2008300893.tif 000011
【図１０】
2008300893.tif 000012